(57)【要約】【課題】周波数特性のばらつきを低減したコモンモードフィルタを提供すること。【解決手段】コモンモードフィルタ１は、トロイダルコア１０と、トロイダルコア１０にバイファイラ巻きされてトロイダルコア１０の周方向に沿って一方向Ｙに巻き進められた２本の導線２０と、を備える。トロイダルコア１０は、内周面に設けられた一つの突出部１２を有している。２本の導線における巻き始め部分２１は、突出部１２における一方向Ｙ側の部分１３と巻き始め部分２１に隣り合う巻き回し部分２２とで挟まれている。２本の導線における巻き終わり部分２３は、突出部１２における一方向Ｙとは反対方向側の部分１４と巻き終わり部分２３に隣り合う巻き回し部分２４とで挟まれている。これにより、巻き始め部分２１と巻き終わり部分２３との間の距離を所定以上ばらつかないように設定できる。【選択図】図１
2008277431.tif 000002
【特許請求の範囲】
【請求項１】
トロイダルコアと、
前記トロイダルコアにバイファイラ巻きされて前記トロイダルコアの周方向に沿って一方向に巻き進められた２本の導線と、を備え、
前記トロイダルコアは、前記２本の導線における前記トロイダルコアへの巻き始め部分及び巻き終わり部分のそれぞれを当該部分と隣り合う前記２本の導線における巻き回し部分とで挟む位置規制部を有しており、
前記巻き始め部分及び巻き終わり部分は、前記トロイダルコアの内周側において、前記巻き回し部分と接触していることを特徴とするコモンモードフィルタ。
【請求項２】
前記位置規制部は、前記トロイダルコアの内周面に設けられた一つの突出部であり、
前記巻き始め部分は、前記突出部における前記一方向側の部分と前記巻き始め部分に隣り合う巻き回し部分とで挟まれ、
前記巻き終わり部分は、前記突出部における前記一方向とは反対方向側の部分と前記巻き終わり部分に隣り合う巻き回し部分とで挟まれていることを特徴とする請求項１に記載のコモンモードフィルタ。
【発明の詳細な説明】
【技術分野】
【０００１】
本発明は、コモンモードフィルタに関する。
【背景技術】
【０００２】
特許文献１には、トロイダルコアに導線をバイファイラ巻きして形成されたコモンモードフィルタについて記載されている。
【特許文献１】特開平５−２７５２５３号公報
【発明の開示】
【発明が解決しようとする課題】
【０００３】
特許文献１に記載のコモンモードフィルタでは、周波数特性にばらつきがあり、高精度なノイズ除去を行うには、個々のコイル部品の性能を調べ、機器に応じたコイル部品を使用する必要があった。
【０００４】
そこで、本発明は、周波数特性のばらつきを低減したコモンモードフィルタを提供することを目的とする。
【課題を解決するための手段】
【０００５】
本発明者らは、コモンモードフィルタにおいて周波数特性のばらつきが生じる原因について検討を行った。検討の結果、トロイダルコアへ巻かれた導線の巻き始め部分と巻き終わり部分との間の距離がばらつくことが主な原因であることが分かった。
【０００６】
そこで本発明のコモンモードフィルタは、トロイダルコアと、トロイダルコアにバイファイラ巻きされてトロイダルコアの周方向に沿って一方向に巻き進められた２本の導線と、を備え、トロイダルコアは、２本の導線におけるトロイダルコアへの巻き始め部分及び巻き終わり部分のそれぞれを当該部分と隣り合う２本の導線における巻き回し部分とで挟む位置規制部を有しており、巻き始め部分及び巻き終わり部分は、トロイダルコアの内周側において、巻き回し部分と接触していることを特徴とする。
【０００７】
本発明のコモンモードフィルタでは、２本の導線における巻き始め部分は、隣り合う巻き回し部分と位置規制部とで挟まれ、巻き終わり部分は、隣り合う巻き回し部分と位置規制部とで挟まれている。これにより、巻き始め部分と巻き終わり部分とは、それぞれ位置が所定以上ずれないように規定されるので、巻き始め部分と巻き終わり部分との間の距離も所定以上ばらつかないように設定できる。よって、周波数特性のばらつきを低減することができる。
【０００８】
好ましくは、位置規制部は、トロイダルコアの内周面に設けられた一つの突出部であり、巻き始め部分は、突出部における一方向側の部分と巻き始め部分に隣り合う巻き回し部分とで挟まれ、巻き終わり部分は、突出部における一方向とは反対方向側の部分と巻き終わり部分に隣り合う巻き回し部分とで挟まれている。
【０００９】
この場合、２本の導線における巻き始め部分は、トロイダルコアの内周面において隣り合う巻き回し部分と位置規制部とで挟まれ、巻き終わり部分は、トロイダルコアの内周面において隣り合う巻き回し部分と位置規制部とで挟まれている。これにより、巻き始め部分と巻き終わり部分との間における距離のばらつきをより少なく設定できる。また、位置規制部をトロイダルコアの内周面に設けられた一つの突出部によって構成するので、トロイダルコアの環状の部分と位置規制部とを一体成形することができる。よって、製造が容易となると共に、位置規制部の位置をばらつきなく形成することができる。
【発明の効果】
【００１０】
本発明のトロイダルコアによれば、周波数特性のばらつきを低減することができる。
【発明を実施するための最良の形態】
【００１１】
以下、添付図面を参照して、本発明を実施するための最良の形態を詳細に説明する。
【００１２】
本実施形態に係るコモンモードフィルタについて図１及び図２を参照して説明する。図１は、本実施形態に係るコモンモードフィルタの平面図である。図２は、図１に示すコモンモードフィルタが備えるトロイダルコアの平面図である。
【００１３】
本実施形態のコモンモードフィルタ１は、トロイダルコア１０と、トロイダルコア１０にバイファイラ巻きされた２本の導線２０とを備えている。トロイダルコア１０は、フェライト等によりドーナツ状に形成されている。トロイダルコア１０は、内周面１１に設けられて中心に向かって突出する一つの突出部（位置規制部）１２を有している。
【００１４】
導線２０は、ポリアミドイミドワイヤー（ＡＩＷ）等の絶縁被覆によりコーティングされた導線である。導線２０は、トロイダルコア１０の周方向に沿って一方向Ｙに巻き進められている。導線２０は、突出部１２の一方向Ｙ側から巻き始められて、所定回数だけ巻き回され、突出部１２の一方向Ｙ側とは反対方向側で巻き終わっている。
【００１５】
導線２０の巻き始め部分２１は、突出部１２の一方向Ｙ側の部分１３と接触している。巻き始め部分２１は、隣り合う巻き回し部分２２と内周面１１において接触している。巻き始め部分２１は、内周面１１において、隣り合う巻き回し部分２２と突出部１２の一方向Ｙ側の部分１３とによって挟まれている。
【００１６】
導線２０の巻き終わり部分２３は、突出部１２の一方向Ｙ側とは反対側の部分１４と接触している。巻き終わり部分２３は、隣り合う巻き回し部分２４と内周面１１において接触している。巻き終わり部分２３は、内周面１１において、隣り合う巻き回し部分２４と突出部１２の一方向Ｙ側の部分１３とによって挟まれている。
【００１７】
このように構成されたコモンモードフィルタ１は、図３に示す等価回路を構成するノイズフィルタとして機能する。
【００１８】
本実施形態のコモンモードフィルタ１では、巻き始め部分２１は、隣り合う巻き回し部分２２と突出部１２とで挟まれ、巻き終わり部分２３は、隣り合う巻き回し部分２４と突出部１２とで挟まれている。これにより、巻き始め部分２１と巻き終わり部分２３とは、それぞれ位置が所定以上ずれないように規定されるので、巻き始め部分２１と巻き終わり部分２３との間の距離も所定以上ばらつかないように設定できる。よって、周波数特性のばらつきを低減することができる。
【００１９】
本実施形態のコモンモードフィルタ１では、巻き始め部分２１は、トロイダルコア１０の内周面１１において隣り合う巻き回し部分２２と内周面１１に設けられた突出部１２とで挟まれ、巻き終わり部分２３は、トロイダルコア１０の内周面１１において隣り合う巻き回し部分２４と内周面１１に設けられた突出部１２とで挟まれている。これにより、巻き始め部分２１と巻き終わり部分２３との間における距離のばらつきをより少なく設定できる。
【００２０】
一般的に、導線を従来のドーナツ状のトロイダルコアに巻き進める場合、巻き始め部分と巻き終わり部分とが、巻き回し部分より位置がばらつく。これにより、トロイダルコアへ巻かれた導線の巻き始め部分と巻き終わり部分との間の距離がばらつき、コモンモードフィルタとしての周波数特性のばらつきが生じる原因となっている。
【００２１】
それに対して、本実施形態のコモンモードフィルタ１では、上述したように、巻き始め部分２１と巻き終わり部分２３との間における距離のばらつきをより少なく設定できるので、周波数特性のばらつきを低減することができる。
【００２２】
更に、本実施形態のコモンモードフィルタ１では、トロイダルコア１０の内周面１１に設けられた一つの突出部１２を巻き始め部分２１と巻き終わり部分２３との位置規制部として機能させている。これにより、トロイダルコア１０の環状の部分と位置規制部（突出部１２）とを一体成形することができる。よって、製造が容易となると共に、位置規制部（突出部１２）の位置をばらつきなく形成することができる。
【００２３】
また、トロイダルコア１０の環状の部分と位置規制部（突出部１２）とを一体成形することにより、環状の部分と位置規制部（突出部１２）との間に隙間が形成されないので、導線が隙間に入り込む心配がない。また、環状の部分と位置規制部（突出部１２）とを接着剤によって接着することも考えられるが、この場合、コストが増加すると共に、接着剤が特性に悪影響を与える虞がある。それに対して、本実施形態のコモンモードフィルタ１が備えるトロイダルコア１０は、問題なく容易に形成することができる。
【図面の簡単な説明】
【００２４】
【図１】本実施形態に係るコモンモードフィルタの平面図である。
【図２】図１に示すコモンモードフィルタが備えるトロイダルコアの平面図である。
【図３】図１に示すコモンモードフィルタの等価回路図である。
【符号の説明】
【００２５】
１…コモンモードフィルタ、１０…トロイダルコア、１１…内周面、１２…突出部、１３…部分、１４…部分、２０…導線、２１…巻き始め部分、２２…巻き回し部分、２３…巻き終わり部分、２４…巻き回し部分、Ｙ…一方向。
【図１】
2008277431.tif 000003
【図２】
2008277431.tif 000004
【図３】
2008277431.tif 000005